(57)【要約】【課題】手を乾燥させる行為を妨げることなく、手を乾燥させる時間の煩わしさを解消する手乾燥装置を提供することを目的としている。【解決手段】手を挿入するための開口部及び手を乾燥させるための手乾燥空間を有する本体箱体と、本体箱体に内蔵され、空気流を発生させる送風機と、空気流を手乾燥空間に噴出するノズルと、音声を発生させる音声発生手段と、一定時間送風機が動作した後、音声が発生するように音声発生手段を制御する制御回路と、を備えたものである。【選択図】図１
2014050469.tif 000002
【特許請求の範囲】
【請求項１】
手を挿入するための開口部及び手を乾燥させるための手乾燥空間を有する本体箱体と、
前記本体箱体に内蔵され、空気流を発生させる送風機と、
前記空気流を前記手乾燥空間に噴出するノズルと、
音声を発生させる音声発生手段と、
一定時間送風機が動作した後、音声が発生するように前記音声発生手段を制御する制御回路と、を備えた
ことを特徴とする手乾燥装置。
【請求項２】
前記手乾燥空間にある手を検知する手検知センサを備え、
前記制御回路は、前記手検知センサが手を検知すると前記送風機の動作を開始させ、
送風機が一定時間動作した後で前記手検知センサが手を検知しなくなると音声が発生するように前記音声発生手段を制御する
ことを特徴とする請求項１に記載の手乾燥装置。
【請求項３】
音声情報を記憶する記憶手段を備え、
前記記憶手段は、前記音声情報の書換えが可能である
ことを特徴とする請求項１又は２に記載の手乾燥装置。
【請求項４】
前記記憶手段は、前記本体箱体に内蔵されており、前記本体箱体から着脱可能である
ことを特徴とする請求項３に記載の手乾燥装置。
【請求項５】
前記音声情報は、複数の音声データ群から構成されている
ことを特徴とする請求項３又は４に記載の手乾燥装置。
【請求項６】
前記制御回路は、前記音声情報からランダムに音声データを選択する
ことを特徴とする請求項５に記載の手乾燥装置。
【請求項７】
前記制御回路は、時刻情報を有し、時刻に応じて音声データを選択する
ことを特徴とする請求項５に記載の手乾燥装置。
【発明の詳細な説明】
【技術分野】
【０００１】
本発明は、装置使用時に待ち時間を必要とする手乾燥装置に関するものである。
【背景技術】
【０００２】
スーパー、デパート、及びオフィスビルなどのトイレに設置されている手乾燥装置では、使用者は濡れた手が乾燥するまで手を手乾燥装置に差し出しておく必要があり、その待ち時間が煩わしく感じることがある。
【０００３】
この課題を解決するために、例えば手乾燥処理の時間内に情報表示する手段を備え、乾燥処理時間の間に画像や音声情報を提供し、手乾燥装置の使用時の待ち時間の煩わしさを解消する方法が知られている（例えば特許文献１参照）。
【先行技術文献】
【特許文献】
【０００４】
【特許文献１】特許第４５４８１０４号公報（たとえば、［００３９］、図１参照）
【発明の概要】
【発明が解決しようとする課題】
【０００５】
しかしながら、上記のような手乾燥装置において、乾燥行為そのものから使用者の意識をそらすことで煩わしさを解消するように意図したものであるため、使用者の意識が情報装置に向かいすぎて手を正常に乾燥させられないという課題があった。また、使用者が見た情報が嗜好に合わないものであった場合は、手乾燥行為から使用者の意識をそらすことができないために手乾燥の煩わしさを解消できず、さらに使用者が見た情報がすでに見たことがあるものであった場合は、同一の情報が流れる煩わしさが相まって使用者はストレスを感じるという課題があった。
【０００６】
本発明は、以上のような課題を解決するためになされたもので、手を乾燥させる行為を妨げることなく、手を乾燥させる時間の煩わしさを解消する手乾燥装置を提供することを目的としている。
【課題を解決するための手段】
【０００７】
本発明に係る手乾燥装置は、手を挿入するための開口部及び手を乾燥させるための手乾燥空間を有する本体箱体と、本体箱体に内蔵され、空気流を発生させる送風機と、空気流を手乾燥空間に噴出するノズルと、音声を発生させる音声発生手段と、一定時間送風機が動作した後、音声が発生するように音声発生手段を制御する制御回路と、を備えたものである。
【発明の効果】
【０００８】
本発明に係る手乾燥装置によれば、手を乾燥させる行為を妨げることなく、手を乾燥させる時間の煩わしさを解消することができる。
【図面の簡単な説明】
【０００９】
【図１】本発明の実施の形態１に係る手乾燥装置の斜視図である。
【図２】本発明の実施の形態１に係る手乾燥装置の動作を説明するフローチャートである。
【図３】本発明の実施の形態１に係る音声情報のブロック図である。
【図４】本発明の実施の形態２に係る手乾燥装置の斜視図である。
【発明を実施するための形態】
【００１０】
実施の形態１．
図１は、本発明の実施の形態１に係る手乾燥装置の斜視図である。
まず初めに、図１を用いて本発明の実施の形態１に係る手乾燥装置の形状について説明する。
手乾燥装置は、手を挿入するための手挿入口２及び手を乾燥させるための手乾燥空間３を有する本体箱体１と、本体箱体１に内蔵され、空気流を発生させる送風機６と、空気流を手乾燥空間３に噴出するノズル７と、音声を発生させるスピーカ８と、音声情報を記憶するメモリーカード９と、一定時間送風機６が動作した後、音声が発生するようにスピーカ８を制御する制御回路５と、を備えている。
【００１１】
本体箱体１の上部には、手を挿入するための手挿入口２を有し、その下方に向かって手乾燥空間３が設けられている。また、本体箱体１には、手を乾燥させるための空気流を発生させる送風機６が内蔵されており、送風機６により発生させられた空気流を手乾燥空間３に噴出するノズル７と、手を検知するための手感知センサ４が設けられている。さらに、本体箱体１には、音声を発生させるスピーカ８、音声情報を記憶したメモリーカード９、及び送風機６やスピーカ８を制御する制御回路５が内蔵されている。
【００１２】
図２は、本発明の実施の形態１に係る手乾燥装置の動作を説明するフローチャートである。
次に、図２を用いて本発明の実施の形態１に係る手乾燥装置の動作について説明する。
手が手挿入口２から乾燥空間３に入れられると、手感知センサ４はその手を検知し（Ｓ１）、手感知信号が制御回路５に伝えられる。すると、制御回路５は送風機６に電力供給を開始し（Ｓ２）、送風機６により発生させられた空気流は本体箱体１内の空気ダクト（図示しない）を通り、ノズル７から空気流が噴出されて手の乾燥を始める。
【００１３】
その際、制御回路５は送風機６が電力供給によって動作した時間を計測している（Ｓ３）。また、制御回路５には音声許可時間が予め設定されており、手を手挿入口２から抜いて手検知センサ４が手を検知しなくなった際に（Ｓ４）、送風機６の動作時間が音声許可時間を超えていると（Ｓ５）、音声発生を許可するものと判断し、制御回路５は送風機６への電力供給を停止後（Ｓ６）、開始スピーカ８に音声を発生させるための信号を伝える（Ｓ７）。一方、手検知センサ４が手を検知しなくなった際に（Ｓ４）、送風機６の動作時間が音声許可時間を超えていないと（Ｓ５）、音声発生を許可しないものと判断し、制御回路５はスピーカ８に音声を発生させるための信号を伝えない。
なお、音声許可時間は、十分に手を乾燥させるのに必要な時間（例えば１０秒など）に設定される。また、音声許可時間は、使用者が音声を聞きたい一心で早く乾燥を終了しないように配慮して設定されたものであり、音声を聞くためには必ず音声許可時間として設定されている一定の時間以上手乾燥する必要があるため、結果的に確実な手乾燥を促す効果を得る。
【００１４】
図３は、本発明の実施の形態１に係る音声情報のブロック図である。メモリーカード９には音声情報が予め記憶されており、音声情報には様々な種類の音声データが記憶されている。一個の音声データは数秒分の音声であり、種類別にブロック化されている。このブロック群のまとまりで全体の音声情報が構成されている。
使用者が音声許可時間を超えて手を乾燥させると、手を手挿入口２から抜いた後で、制御回路５は音声情報からランダムに一個の音声データを選択し、スピーカ８にその音声を発生させる。
【００１５】
以上のように、使用者は手乾燥した後にランダムな音声が発生することを一度経験すると、次に手乾燥装置を使用する際にどのような音声が聞こえるか期待感を持つため、手を乾燥させる時間の煩わしさを解消することができる。また、予め設定された音声許可時間を超えないと音声が発生しないため、使用者は乾燥を途中で終わらせることなく確実に手を乾燥させることができる。さらに、音声は乾燥処理後にしか発生しないため、使用者は手乾燥時に手を乾燥させる行為を妨げられることなく、確実に手を乾燥させることができる。
なお、制御回路５は音声情報からランダムに一個の音声データを選択するとしたが、制御回路５等に時刻情報を持たせ、時刻に応じて一個の音声データを選択するようにしても上記と同様の効果が得られる。
【００１６】
実施の形態２．
図４は、本発明の実施の形態２に係る手乾燥装置の斜視図である。
図４を用いて本発明の実施の形態２に係る手乾燥装置の形状について説明する。
本体箱体１の前面部には、手挿入口２と手乾燥空間３とが設けられ、手乾燥空間３の上方にノズル７が設けている。また、本体箱体１には、手を乾燥させるための空気流を発生させる送風機６が内蔵されており、送風機６により発生させられた空気流を手乾燥空間３に噴出するノズル７と、手を検知するための手感知センサ４が設けられている。さらに、本体箱体１には、音声を発生させるスピーカ８、音声情報を記憶したメモリーカード９、及び送風機６やスピーカ８を制御する制御回路５が内蔵されている。
なお、本発明の実施の形態２に係る手乾燥装置の動作及び効果については本発明の実施の形態１のものと同じであり、それらの説明については省略する。
【符号の説明】
【００１７】
１  本体箱体、２  手挿入口、３  手乾燥空間、４  手検知センサ、５  制御回路、６  送風機、７  ノズル、８  スピーカ、９  メモリーカード。
【図１】
2014050469.tif 000003
【図２】
2014050469.tif 000004
【図３】
2014050469.tif 000005
【図４】
2014050469.tif 000006